(57)【要約】      （修正有）【課題】昇降台，踏台，椅子として利用可能な多目的台を提供する。【解決手段】多目的台は、正方形又は長方形の踏板となる天板３の各辺に周壁部を備え下向きに開放された直方体型の主枠１ａを設けている。該主枠１ａに対して内端側が垂直方向及び水平方向に回動し且つスライド可能に連結部を介して左右両側に連結し、正方形又は長方形の踏板となる天板７を備えた直方体型の補助枠１ｂ，１ｃを設けている。そして該各補助枠１ｂ，１ｃを回動及びスライドさせることにより内端側を主枠１ａ内に縦向きに挿入して全体が直方体形状になるように格納する格納姿勢と、左右両側に横向きに開き全体が凸型となるようにする開脚姿勢とに姿勢変更可能にした。  また補助枠１ｃ内に、天板１１に対して略直角に起立回動し且つその直角に起立する脚板２３ａ，２３ｂを設け、該起立状態の脚板の下端と格納姿勢の補助枠１ｂの下端とを接地し、階段状の踏台とした。【選択図】図２
0003116815.tif 000002
【実用新案登録請求の範囲】
【請求項１】
正方形又は長方形の踏板となる天板（３）の各辺に周壁部を備えた下向きに開放された直方体型の主枠（１ａ）と、該主枠（１ａ）に対して内端側が垂直方向及び水平方向に回動し且つスライド可能に連結部を介して左右両側に連結され、正方形又は長方形の踏板となる天板（７），（１１）を備えた直方体型の補助枠（１ｂ），（１ｃ）を設け、該各補助枠（１ｂ），（１ｃ）を回動及びスライドさせることにより内端側を主枠（１ａ）内に縦向きに挿入して全体が直方体形状になるように格納する格納姿勢と、左右両側に横向きに開く全体が凸型となるようにする開脚姿勢とに姿勢変更可能に構成してなる多目的台。
【請求項２】
少なくとも一方の補助枠（１ｃ）内に、天板（１１）に対して略直角に起立回動し且つその直角に起立した状態でセットすることにより、格納姿勢の他方の補助枠（１ｂ）の下端と略同一高さに下向きに突出する脚板（２３ａ），（２３ｂ）を設け、該起立状態の脚板（２３ａ），（２３ｂ）の下端と格納姿勢の補助枠（１ｂ）の下端とを接地させることにより階段状の踏台を構成する請求項１の多目的台。
【請求項３】
下向きに突出する脚板（２３ａ），（２３ｂ）の直立状態を保持するセットプレート（２６）を一方の補助枠（１ｃ）内に設けてなる請求項２の多目的台。
【請求項４】
上記連結部が、補助枠（１ｂ），（１ｃ）の端板（８ａ），（８ｂ），（１２ａ），（１２ｂ）に形成されたガイド溝（１６），（１７）に対して、主枠（１ａ）の端板（４ａ），（４ｂ）に固定された連結軸（２）を挿通し連結した構成である請求項１，２又は３の多目的台。
【請求項５】
主枠（１ａ）及び補助枠（１ｂ），（１ｃ）の端板（４ｂ），（８ｂ），（１２ｂ）にキャスター（１９）を設けた請求項１，２，３又は４の多目的台。
【請求項６】
主枠（１ａ）の端板（４ａ）に把手（１８）を設けた請求項１，２，３，４又は５の多目的台。
【考案の詳細な説明】
【技術分野】
【０００１】
この考案は昇降台，踏台，椅子として多目的に利用できる多目的台に関する。
【背景技術】
【０００２】
従来、特許文献１に示すように、上段側台部の内面に下段側台部を収納可能に形成した多目的台が公知であるほか、特許文献２に示すように、上下に分割可能に構成した椅子を回動軸を介して回動させ、階段を形成したものが知られている。
【特許文献１】特開２００２−１１２８５２号公報（図１）
【特許文献２】実開昭６１−１５６５５４号公報（図２）
【考案の開示】
【考案が解決しようとする課題】
【０００３】
しかし、上記の従来技術では椅子や踏台としては利用できるものの、高齢者やパーキンソン病等のリハビリテーション訓練が必要な方が踏台昇降運動に用いる場合、上記特許文献１の多目的台は、最初のステップである下段側台部の置き面の位置が高く踏台昇降運動に用いることはできなかった。また特許文献２の階段式踏台は通常の階段と同程度の高さに各踏板が設けられているので、高さには問題がないものの、階段を踏台昇降運動に利用した場合、一旦昇って後ろ向きに降りなければならず、健常者には問題ない動作であっても、高齢者やリハビリテーション訓練が必要な方にとっては酷な運動となり踏台昇降運動に利用することはできなかった。
この考案は、これらの課題を解決又は改善し、コンパクトに格納することができ且つ昇降台，踏台，椅子として利用できる多目的台を提供するものである。
【課題を解決するための手段】
【０００４】
上記課題を解決するための本考案の多目的台は、第１に、正方形又は長方形の踏板となる天板３の各辺に周壁部を備えた下向きに開放された直方体型の主枠１ａと、該主枠１ａに対して内端側が垂直方向及び水平方向に回動し且つスライド可能に連結部を介して左右両側に連結され、正方形又は長方形の踏板となる天板７，１１を備えた直方体型の補助枠１ｂ，１ｃを設け、該各補助枠１ｂ，１ｃを回動及びスライドさせることにより内端側を主枠１ａ内に縦向きに挿入して全体が直方体形状になるように格納する格納姿勢と、左右両側に横向きに開く全体が凸型となるようにする開脚姿勢とに姿勢変更可能に構成してなることを特徴としている。
【０００５】
第２に、少なくとも一方の補助枠１ｃ内に、天板１１に対して略直角に起立回動し且つその直角に起立した状態でセットすることにより、格納姿勢の他方の補助枠１ｂの下端と略同一高さに下向きに突出する脚板２３ａ，２３ｂを設け、該起立状態の脚板２３ａ，２３ｂの下端と格納姿勢の補助枠１ｂの下端とを接地させることにより階段状の踏台を構成することを特徴としている。
【０００６】
第３に、下向きに突出する脚板２３ａ，２３ｂの直立状態を保持するセットプレート２６を一方の補助枠１ｃ内に設けてなることを特徴としている。
【０００７】
第４に、上記連結部が、補助枠１ｂ，１ｃの端板８ａ，８ｂ，１２ａ，１２ｂに形成されたガイド溝１６，１７に対して、主枠１ａの端板４ａ，４ｂに固定された連結軸２を挿通し連結した構成であることを特徴としている。
【０００８】
第５に、主枠１ａ及び補助枠１ｂ，１ｃの端板４ｂ，８ｂ，１２ｂにキャスター１９を設けたことを特徴としている。
【０００９】
第６に、主枠１ａの端板４ａに把手１８を設けたことを特徴としている。
【考案の効果】
【００１０】
以上のように構成される本考案の多目的台によれば、以下に示すような効果を奏するものである。
（１）主枠に格納された直方体型の左右の補助枠を前方にスライドし、左右両側横向きに回動させ全体が凸型となるように開脚姿勢に変更することによって昇降台として利用できるほか、主枠に補助枠を格納した状態では椅子として利用することができる。
【００１１】
（２）少なくとも一方の補助枠内に天板に対して略直角に起立回動する脚板を設け、該下向きに突出した脚板の下端と格納姿勢の補助枠の下端を略同一高さとし、脚板の下端と格納姿勢の補助枠の下端を設置することによって階段状の踏台として利用することができる。
【００１２】
（３）主枠に対して補助枠が垂直方向及び水辺方向に回動し且つスライド自在に構成され、主枠に縦向きに補助枠を格納することによってコンパクトな格納姿勢にすることができるので、使用しない場合は収納場所に苦慮することなく収納することができる。
【００１３】
（４）下向きに突出する脚板の直立状態を保持するセットプレートを設けることによって、脚板を補助枠の端板内側に押圧し、その直立姿勢を容易に保つことができるとともに、踏台として利用する際の安全性を確保することができる。
【００１４】
（５）主枠及び補助枠の一方の端板の外側にキャスターを設け、他方の端板の外側に把手を取り付けたので、把手を持ち、キャスターを利用して容易に移動することができる。
【００１５】
（６）補助枠が回動自在に主枠に収容されているので、ドライバーやスパナ等の特殊な工具を使うことなく、容易に昇降台，踏台，椅子として組立てることができるとともに、容易に格納姿勢に戻すことができる。
【考案を実施するための最良の形態】
【００１６】
以下本考案の多目的台について図面に基づき説明する。図１は格納姿勢を示す全体斜視図である。多目的台１は直方体型の箱状の主枠１ａに対して直方体型の箱状の左右補助枠１ｂ，１ｃが縦向きに挿入され、全体が直方体形状となるように格納された構成となっている。そして主枠１ａに対して補助枠１ｂ，１ｃが後述する連結軸２とガイド溝１６，１７とで構成される連結部を介して、主枠１ａの内端側が垂直方向及び水平方向に回動し且つスライド自在に左右両側に連結されている。
【００１７】
（昇降台）
図２，３，４に基づき多目的台１の第１使用形態である昇降台について説明する。図２は昇降台の組立途中を示す斜視図、図３は組立後の内部構造を示す斜視図、図４は組立後の使用状態を示す全体斜視図である。
【００１８】
主枠１ａには正方形又は長方形の踏板となる主天板３の各辺に垂直方向下向きに前後端板４ａ，４ｂ、左右側板６ａ，６ｂが備えられ、前後端板４ａ，４ｂ、左右側板６ａ，６ｂが周壁部を形成するとともに、主枠１ａが下向きに開放された直方体型となるように構成されている。
【００１９】
左補助枠１ｂには正方形又は長方形の踏板となる補助天板７の前後端に垂直方向下向きに前後端板８ａ，８ｂが形成され、左端には左側板９が垂直方向下向きに設けられている。また右補助枠１ｃも同様に正方形又は長方形の踏板となる補助天板１１の前後端に垂直方向下向きに前後端板１２ａ，１２ｂが形成され、右端には右側板１３が設けられている。
【００２０】
前述の連結軸２は、補助枠１ｂ，１ｃの前後端板８ａ，８ｂ，１２ａ，１２ｂを貫通するように、主枠１ａの前後端板４ａ，４ｂに対して直交且つ水平方向に平行に設けられており、前後端板４ａ，４ｂ外側よりロックナット１４によって取り付け固定されている。
【００２１】
左右補助枠１ｂ，１ｃの前後端板８ａ，８ｂ及び前後端板１２ａ，１２ｂの主枠１ａ側には内端がＬ字形に屈曲したガイド溝１６，１７が穿設され、該ガイド溝１６，１７に対して上記連結軸２が挿通され連結されている。その結果、補助枠１ｂ，１ｃが主枠１ａに対して、垂直方向及び左右水平方向に回動し且つスライド可能に連結された構成となっている。
【００２２】
また主枠１の前端板４ａの外側には把手１８が取り付けられており、主枠１の後端板４ｂ及び補助枠１ｂ，１ｃの後端板８ｂ，１２ｂの外側にはキャスター１９がそれぞれ設けられている。さらに主枠１ａの前後端板４ａ，４ｂの内側の中央部分には、前後端板４ａ，４ｂの内寸高さと略同一であって、補助枠１ｂ，１ｃの前後端板８ａ，８ｂ，１２ａ，１２ｂの厚みと略同一高さのストッパー２１が突出して形成されている。該ストッパー２１は各補助枠１ｂ，１ｃの内側への回動及び水平移動を規制するとともに、補助枠１ｂ，１ｃの格納姿勢を保持するものである。
【００２３】
以上のような構成による多目的台１の昇降台としての組立手順は、図１に示す格納状態から図２に示すように補助枠１ｂ，１ｃを図１左側方向に引き出しながらスライドさせ、開脚方向（矢印Ａ方向）に回動させる。そして主天板３に対して補助天板７，１１が平行となる開脚姿勢（図３，図４参照）に姿勢変更し、主枠１ａの端板４ａ，４ｂの下端部と補助枠１ｂ，１ｃの端板８ａ，８ｂ，１２ａ，１２ｂの下端部を設置し、図４に示すように主天板３及び補助天板７，１１を上面に向けて使用するものである。この時、補助枠１ｂ，１ｃの端板８ａ，８ｂ，１２ａ，１２ｂの上端面が主枠１ａの側板６ａ，６ｂの下端部に当接し、その開脚姿勢を保持する構成となっている。
【００２４】
使用方法としては一方の補助天板から主天板３に昇り、他方の補助天板を介して地上に降り、また方向転換して同じ動作を繰り返すことにより、省スペースでの踏台昇降運動を可能にしたものである。ただし足の不自由な患者がリハビリテーション訓練として行う場合は杖や手すりを持ちながら踏台昇降運動を行う方が望ましく、また健常者の場合は、テレビやビデオを見ながらダイエット等のために気軽に踏台昇降運動をすることができる。使用後は上記の組立手順とは逆の手順によって図１に示す格納姿勢に戻し、把手１８やキャスター１９を利用し多目的台１を保管場所に移動し使用を終了する。
【００２５】
（踏台）
図５〜１１に基づき多目的台１の第２使用形態である踏台とそのための構造について説明する。図５〜９は踏台の組立工程、図１０は踏台の内部固定構造、図１１は踏台の組立完成状態を示している。
【００２６】
図示するように、上述の昇降台として利用する構成のほかに、補助枠１ｃの前後端板１２ａ，１２ｂの内側にヒンジ２２を介し、補助天板１１に対して略直角に起立回動する脚板２３ａ，２３ｂがそれぞれ設けられている（図８〜１０参照）。
【００２７】
図８，図９に示すように補助枠１ｃの右側板１３の内側にもヒンジ２４を介して補助天板１１に対して略直角に起立回動するセットプレート２６が設けられている。また脚板２３ｂにはストッパー２７が設けられ（図８）、該ストッパー２７は下向きに突出する脚板２３ａ，２３ｂの起立状態を保持する際に、セットプレート２６が補助天板１１と略平行となるように備えられたものである。さらにセットプレート２６の前端（前端板１２ａ側）にはクランクピン２８が設けられ、脚板２３ａのクランプピン２８の対応する位置に穿設された挿入孔２９に挿入され、セットプレート２６を固定する構成となっている（図１０）。
【００２８】
補助天板１１の内面側に折畳み収容された脚板２３ａ，２３ｂを固定する段部３１がセットプレート２６の自由端側に形成されている（図８〜１０参照）。またセットプレート２６の内面側にマグネット３２が取り付けられ、該マグネット３２の対応する位置の右側板１３内面側に吸着板３３が設けられている（図７，図８）。その結果セットプレート２６を右側板１３の内面側に折畳み収容する際に、折畳み収容された脚板２３ａ，２３ｂを容易に固定するとともに、セットプレート２６の外側への回動も防止することができる。
【００２９】
補助枠１ｂの前後端板８ａ，８ｂの内面側にはスプリング止め３４，３４に掛止されたスプリング３６が備えられている。また補助枠１ｃの前後端板１２ａ，１２ｂの内面側にもスプリング止め３７が備えられている。そして多目的台１を踏台として利用する際に、スプリング３６をスプリング止め３７に掛止することによって、補助枠１ｃを内側に向って引き寄せてその回動を防止し、踏台として利用する際の安全性を確保する構成となっている。
【００３０】
以上の構成による多目的台１の踏台としての組立手順について説明する。主枠１ａに補助枠１ｂ，１ｃが格納された格納姿勢から、補助枠１ｃのみをスライド及び回動させて補助枠１ｃの補助天板１１が主枠１ａの天板３と略平行になるようにする(図５参照)。そしてスプリング３６をスプリング止め３７に掛止し、補助枠１ｃの回動を固定する。
【００３１】
マグネット３２を吸着板３３より取り外すとともに、セットプレート２６を補助天板１１に対して略直角になるまで起立回動させる（図６の矢印Ｂ1方向）。次に図７に示すように脚板２３ａを補助天板１１に対して略直角になるまで起立回動させる。脚板２３ｂも同じく補助天板１１に対して略直角になるまで起立回動させる（図８の矢印Ｂ2方向）。
【００３２】
次にセットプレート２６を補助天板１１と平行になるようにストッパー２７に当接するまで回動させ（矢印Ｂ3方向）、前後端板１２ａ，１２ｂの内面側に脚板２３ａ，２３ｂを押圧し、脚板２３ａ，２３ｂの起立を保持する（図９参照）。そして図１０に示すように、クランプピン２８を挿入孔２９に挿入し、セットプレート２６を固定する。
【００３３】
踏台の使用方法としては図１１に示すよう格納姿勢の補助枠１ｂの下端と起立回動された脚板の下端を設置し、主天板３及び補助天板１１を上面側に向けて、踏板となる前記主天板３及び補助天板１１に乗り、高所作業を補助するものである。使用後は上記の組立手順とは逆の手順によって図１に示す格納姿勢に戻し、把手１８やキャスター１９を利用し多目的台１を保管場所に移動し使用を終了する。
【００３４】
（椅子）
図１２に基づき多目的台１の椅子としての利用方法について説明する。図１に示すようにセットピン３８を挿入孔３９に挿入し、主枠１ａに対して補助枠１ｂ，１ｃのスライド及び回動を規制して固定する。そして主枠１ａに対して補助枠１ｂ，１ｃが格納された多目的台１の左側板９及び右側板１３が地面側となるように設置し、主枠１ａの主天板３を椅子の座面として利用することもできる。
【００３５】
以上の構成による多目的台は主枠，補助枠はともに十分な剛性を持つ板部材やその他の金属又は樹脂によって箱状又は枠状に形成されているので、昇降台や踏台として利用する際に、ぐらつきや軋み等がなく、十分な強度を保持し、安心して利用することができる。
また昇降台や踏台として利用する際に、踏板となる板の表面に人工芝等を接着して滑り止め加工を施したり（図示しない）、ゴム等のクッション材を接着することによって、リハビリテーション訓練中の転等事故を防止するとともに、万一の転等の際にもそのクッション性によってケガ等を軽減させることができる。
【産業上の利用可能性】
【００３６】
本考案の多目的台は、リハビリテーション訓練施設での踏台昇降運動に利用できるほか、心肺機能等の体力測定の器具としてスポーツ施設においても利用できるものである。また訓練施設やスポーツ施設だけでなく、家庭においても昇降台のほか踏台や椅子として多目的に利用することができる。
【図面の簡単な説明】
【００３７】
【図１】本考案の多目的台の主枠に補助枠が格納された格納姿勢を示す全体斜視図である。
【図２】本考案の多目的台の第１使用形態である昇降台の組立途中を示す斜視図である。
【図３】本考案の多目的台の第１使用形態である昇降台の組立完成時の内部構造を示す斜視図である。
【図４】本考案の多目的台の第１使用形態である昇降台の組立完成状態を示す全体斜視図である。
【図５】本考案の多目的台の第２使用形態である踏台の組立途中を示す斜視図である。
【図６】本考案の多目的台の第２使用形態である踏台の組立途中を示す斜視図である。
【図７】本考案の多目的台の第２使用形態である踏台の組立途中を示す斜視図である。
【図８】本考案の多目的台の第２使用形態である踏台の組立途中を示す斜視図である。
【図９】本考案の多目的台の第２使用形態である踏台の組立完成後の内部構造を示す斜視図である。
【図１０】本考案の多目的台の第２使用形態である踏台の組立完成後の内部固定構造を示す斜視図である。
【図１１】本考案の多目的台の第２使用形態である踏台の組立完成状態を示す全体斜視図である。
【図１２】本考案の多目的台の第３使用形態である椅子を示す斜視図である。
【符号の説明】
【００３８】
１      多目的台
１ａ    主枠
１ｂ    補助枠
１ｃ    補助枠
２      連結軸
３      天板
４ａ    端板
４ｂ    端板
８ａ    端板
８ｂ    端板
１２ａ  端板
１２ｂ  端板
１６    ガイド溝
１７    ガイド溝
１８    把手
１９    キャスター
２３ａ  脚板
２３ｂ  脚板
【図１】
0003116815.tif 000003
【図２】
0003116815.tif 000004
【図３】
0003116815.tif 000005
【図４】
0003116815.tif 000006
【図５】
0003116815.tif 000007
【図６】
0003116815.tif 000008
【図７】
0003116815.tif 000009
【図８】
0003116815.tif 000010
【図９】
0003116815.tif 000011
【図１０】
0003116815.tif 000012
【図１１】
0003116815.tif 000013
【図１２】
0003116815.tif 000014